(57)【要約】【課題】野球競技の動作、地面環境、個人差に応じて、靴底における位置及び向きを簡単に調整することができるスパイク手段、前記スパイク手段を備えた野球靴の靴底及び野球靴を提供することを目的とする。【解決手段】靴底に固着され、ねじ孔を有し、接地側の面に平行なＶ字状の第１の歯列が形成された定位部材と、前記定位部材の接地側の面上に設けられ、前記ねじ孔に対応して長穴が第１の歯列と直交する方向に設けられ、前記定位部材側の面に前記第１の歯列と嵌まり合う一連の平行なＶ字形状の第２の歯列が形成された位置調整部材と、外周面に前記ねじ孔と螺合する雄ねじが形成された螺軸と、地面に対してほぼ直角に立上り、前記靴底側の端部が、前記定位部材と前記位置調整部材との一の端部に、平行な２つの枢軸により回動自在に枢止されている爪片とからなっていることを特徴とする、野球靴の靴底に用いられるスパイク手段を提供する。【選択図】図１
2008029398.tif 000002
【特許請求の範囲】
【請求項１】
野球靴の靴底に用いられるスパイク手段であって、
プレート状に形成され、前記靴底に固着され、そのほぼ中央部には厚さ方向にねじ孔が貫設され、接地側の面に一連の平行なＶ字形状の第１の歯列が形成された定位部材と、
プレート状に形成され、前記定位部材の接地側の面上に設けられ、前記ねじ孔に対応して長穴が前記一連の第１の歯列と直交する方向に沿って設けられ、前記定位部材に臨む面に前記一連の第１の歯列と嵌め合う一連の平行なＶ字形状の第２の歯列が形成されている位置調整部材と、
外周面に前記長穴を通して前記ねじ孔と螺合する雄ねじが形成された頭部付き螺軸と、
地面に対してほぼ直角に立上り、前記靴底側の端部が、前記定位部材と前記位置調整部材とのそれぞれの前記一連の第１の歯列と前記一連の第２の歯列とに平行する端部に、前記螺軸に近接したり離れたりする平行な２つの枢軸により回動自在に枢止されている爪片と
からなっていることを特徴とするスパイク手段。
【請求項２】
前記定位部材は、前記靴底に固着されたベースと、前記ベースの接地側の面上に設けられ、接地側の面に前記一連の第１の歯列が形成された定位板とにより構成され、
前記ねじ孔は、前記ベースに設けられた螺孔と前記定位板に該螺孔に対応して設けられた挿通孔とからなり、
前記螺軸は前記長穴と前記挿通孔を通して前記螺孔に螺合され、
前記ベースには、前記定位板側の面における前記螺孔の周りに複数の第１の放射歯が周設され、前記定位板の前記ベース側の面には、前記挿通孔の周りに前記複数の第１の放射歯に対応する複数の第２の放射歯が周設され、
また、前記爪片は、前記定位板と前記位置調整部材とに枢止されていることを特徴とする請求項１に記載のスパイク手段。
【請求項３】
前記螺孔と前記挿通孔のそれぞれの開口部には、前記定位板が常時前記ベースから離れる方向に付勢されるばね部材が介挿され、
また、前記定位板と前記位置調整部材との間には、前記位置調整部材が常時前記定位板から離れる方向に付勢されるスプリング部材が配置されていることを特徴とする請求項２に記載のスパイク手段。
【請求項４】
接地面に複数の凹部が形成され、それぞれの凹部にスパイク手段が設けられ、前記スパイク手段として前記請求項１〜３のいずれか一項に記載のものが使用されていることを特徴とする野球靴の靴底。
【請求項５】
靴底の接地面に複数の凹部が設けられ、それぞれの凹部にスパイク手段が設けられ、前記スパイク手段として前記請求項１〜３のいずれか一項に記載のスパイク手段が使用されていることを特徴とする野球靴。
【発明の詳細な説明】
【技術分野】
【０００１】
本発明は、スパイク手段、野球靴の靴底及び野球靴に関し、特に調整可能なスパイク手段、そのスパイク手段をそなえた野球靴の靴底及び野球靴に関する。
【背景技術】
【０００２】
従来、滑り止めを有する野球靴として、例えば図８に示すように、複数のスパイク８２を靴底８１に突設したスパイクシューズ８がある（特許文献１）。スパイク８２は、爪片８１１が形成された座板８１２が固定釘８１３によって該座板８１２と靴底８２を貫通して靴底８２の内部に固定されてなったものである。
【０００３】
しかしながら、前記構成の野球靴８では、野球競技中、バッティングや、スローイング、ランニングなどの動作に応じて、最適な滑り止め効果を有するよう、スパイク８２の位置及び向きを調整するために、スパイク８２を取り替えなければならず、取替え手間がかかるという問題点がある。なお、この固定的なスパイク８２を設けた野球靴８は、一般グラウンドの環境や使用者の足部の形等の個人差によってスパイクの靴底における位置及び向きに対する異なった要求にも対応できない欠点がある。
【特許文献１】特開２０００−１０６９０１号公報
【発明の開示】
【発明が解決しようとする課題】
【０００４】
本発明は、上記問題点や欠点に鑑みてなされたもので、野球競技の動作、グラウンド状態、個人差に応じて、靴底における位置及び向きを簡単に調整することができるスパイク手段、前記スパイク手段を備えた野球靴の靴底及び野球靴を提供することを目的とする。
【課題を解決するための手段】
【０００５】
前記目的を達成するために、本発明は、野球靴の靴底に用いられるスパイク手段であって、プレート状に形成され、前記靴底に固着され、そのほぼ中央部には厚さ方向にねじ孔が貫設され、接地側の面に一連の平行なＶ字形状の第１の歯列が形成された定位部材と、プレート状に形成され、前記定位部材の接地側の面上に設けられ、前記ねじ孔に対応して長穴が前記一連の第１の歯列と直交する方向に沿って設けられ、前記定位部材に臨む面に前記一連の第１の歯列と嵌め合う一連の平行なＶ字形状の第２の歯列が形成されている位置調整部材と、その外周面に前記長穴を通して前記ねじ孔と螺合する雄ねじが形成された頭部付き螺軸と、地面に対してほぼ直角に立上り、前記靴底側の端部が、前記定位部材と前記位置調整部材とのそれぞれの前記一連の第１の歯列と前記一連の第２の歯列とに平行する端部に、前記螺軸に近接したり離れたりする平行な２つの枢軸により回動自在に枢止されている爪片とからなっていることを特徴とするスパイク手段を提供する。
【０００６】
前記定位部材は、前記靴底に固着されたベースと、前記ベースの接地側の面上に設けられ、接地側の面に前記一連の第１の歯列が形成された定位板とにより構成され、前記ねじ孔は、前記ベースに設けられた螺孔と前記定位板に該螺孔に対応して設けられた挿通孔とからなり、前記螺軸は前記長穴と前記挿通孔を通して前記螺孔に螺合され、前記ベースには、前記定位板側の面における前記螺孔の周りに複数の第１の放射歯が周設され、前記定位板の前記ベース側の面には、前記挿通孔の周りに前記複数の第１の放射歯に対応する複数の第２の放射歯が周設され、また、前記爪片は、前記定位板と前記位置調整部材とに枢止されていることが好ましい。
【０００７】
また、前記構成において、前記螺孔と前記挿通孔のそれぞれの開口部には、前記定位板が常時前記ベースから離れる方向に付勢するばね部材が介挿され、また、前記定位板と前記位置調整部材との間には、前記位置調整部材が常時前記定位板から離れる方向に付勢するスプリング部材が配置されていることが好ましい。
【０００８】
更に、本発明は、接地面に複数の凹部が形成され、それぞれの凹部にスパイク手段が設けられ、それらのスパイク手段として前記構成のスパイク手段が使用されていることを特徴とする野球靴の靴底をも提供する。
【０００９】
更に、本発明は、靴底の接地面に複数の凹部が設けられ、それぞれの凹部にスパイク手段が設けられ、それらのスパイク手段として前記構成のスパイク手段が使用されていることを特徴とする野球靴をも提供する。
【発明の効果】
【００１０】
本発明のスパイク手段によれば、前記螺軸の締付けが緩められて前記定位部材と前記位置調整部材との間で両歯列が僅かに離隔する時に、前記位置調整部材を連動させながら前記爪片を回動させて地面に対する角度を変えたり、螺軸を中心に向きを変えられるので、必要に応じて前記爪片を回動してからまた前記螺軸を締付けることによって簡単に調整することができる。
【発明を実施するための最良の形態】
【００１１】
以下、本発明の実施形態を添付図面に基づいて説明する。
図１は、本発明の第１実施形態のスパイク手段の分解斜視図である。図２は、前記実施形態のスパイク手段の部分斜視図である。図３は、前記実施形態のスパイク手段の斜視図であり、爪片が地面に対してほぼ直角に立上っている状態を示す。図４は、前記実施形態のスパイク手段の斜視図であり、爪片が地面に対して斜めに立上っている状態を示す。図５は、前記実施形態のスパイク手段の斜視図であり、爪片が地面に対して斜めに立上り且つ向きを変えた状態を示す。
【００１２】
図１、図２及び図３に示すように、本実施形態のスパイク手段は、野球靴の靴底（例えば図６を参照）に用いられるものとして、主に定位部材２０と、位置調整部材２３と、螺軸２４と、爪片２５とからなっている。
【００１３】
定位部材２０は、前記靴底に固着されるベース２１と、ベース２１の接地側の面上に設けられた定位板２２とにより構成されている。
ベース２１は、上下方向に螺孔２１１が設けられ、定位板２２側の面における螺孔２１１の周りに複数の第１の放射歯２１２が周設されている。また、本実施形態において、ベース２１には、周縁から突出た複数の突起に貫通孔２１３が設けられ、靴底を樹脂で形成すると同時に、樹脂を貫通孔２１３に充填することによりベース２１を靴底内に固着することができる。
【００１４】
定位板２２には、螺孔２１１に対応して挿通孔２２１が設けられ、ベース２１側の面における該挿通孔２２１の周りに複数の第１の放射歯２１２に対応する複数の第２の放射歯２２３が周設され、且つ接地側の面に一連の平行なＶ字形状の第１の歯列２２２が形成されている。
【００１５】
また、螺孔２１１と挿通孔２２１のそれぞれの開口部には、段部が形成されて、定位板２２が常時ベース２１から離れる方向に付勢する圧縮ばね２６が介挿されている。
【００１６】
位置調整部材２３は、定位板２２の接地側の面上に設けられた板体として構成され、定位板２２に臨む面に前記一連の第１の歯列２２２と嵌まり合う一連の平行なＶ字形第２の歯列２３２が形成され、挿通孔２２１と螺孔２１１とに対応して長穴２３１が前記一連の第２の歯列２３２と直交して延びるように設けられている。
【００１７】
螺軸２４には、その外周面に長穴２３１と挿通孔２２１を通して螺孔２１１の雌ねじと螺合する雄ねじ２４１が形成され、頭部２４２が位置調整部材２３の接地側の面に当接するように付けられたものである。
【００１８】
爪片２５は、地面に対してほぼ直角に立上り、前記靴底側の端部２５１が定位板２２と位置調整部材２３それぞれの、前記一連の第１の歯列２２２と前記一連の第２の歯列２３２と平行する端部に、螺軸２４に近接したり離れたりする、平行する二の枢軸２８により回動自在に枢止されている。
【００１９】
また、定位板２２と位置調整部材２３との間には、位置調整部材２３が常時定位板２２から離れる方向に付勢されるねじりばね２７が配置されている。
【００２０】
爪片２５の地面に対する立上り状態を図３から図４に示されるように変える場合、まず螺軸２４の締付けを緩めると、ねじりばね２７により位置調整部材２３が定位板２２から僅かに離隔し、前記一連の第１の歯列２２２と前記一連の平行なＶ字形状の第２の歯列２３２との嵌め合わせが解除されるので、長孔２３１を介して位置調整部材２３を連動させながら爪片２５が螺軸２４に近接したり螺軸２４から離れたりするよう回動されるようになるため、必要に応じて爪片２５を地面に対して所定の角度で斜めに立上る状態に回動してから、また螺軸２４を締付けることができ、簡単に調整することができる。
【００２１】
また、爪片２５の向きを図４から図５に示されるように変える場合、同じくまず螺軸２４の締付けを緩めると、圧縮ばね２６により定位板２２がベース２１から僅かに離隔し、複数の第１の放射歯２１２と複数の第２の放射歯２２３との嵌め合わせが解除されるので、位置調整部材２３と定位板２２を連動させながら爪片２５がベース２１に対して螺軸２４を中心に回動されるようになるため、必要に応じて爪片２５を回動してその向きを変えてからまた螺軸２４を締付けることができ、簡単に調整することができる。
【００２２】
図６は、本発明の第２実施形態の野球靴の靴底の縦断面図であり、スパイク手段として第１実施形態のスパイク手段が使用されて図３の状態とされた。図７は、図６のスパイク手段が図４の状態とされた。
【００２３】
図６、７に示すように、本実施形態の野球靴の靴底１１は、その接地面１１１に複数の凹部１２が形成され、それぞれの凹部１２にスパイク手段が設けられ、それらのスパイク手段として第１実施形態のスパイク手段２が使用されている。また、本実施形態では、前記のように靴底１１を樹脂で形成すると同時に、樹脂がベース２１の貫通孔２１３に充填されることによりベース２１が靴底１１内に固着されるようになっっている。ベース２１の靴底１１に対する固着は、これに限定されず、他に例えば接着剤、ねじ止めで固着される方法などもできる。
【００２４】
また、図示したように、複数の凹部１２の開口は、螺軸２４の頭部２４２と爪片２５とが外部から回動されることが可能なようにカバー１３によって覆われている。
【００２５】
また、図６に示すように、本発明の第３実施形態の野球靴１００は、アッパー３と第２実施形態の靴底１１とが一体化してなったものである。なお、アッパー３と、アッパー３と靴底１１との一体化の方法については、本発明に直接かかわらなく従来技術を利用すればよいので、説明を省略する。
【００２６】
以上、本発明の好適な実施形態について説明したが、本発明は前記実施形態に限定して狭義に解釈されるものではなく、即ち本考案の精神の範囲内において種々の変形や変更が可能である。
【産業上の利用可能性】
【００２７】
以上説明したように、本発明のスパイク手段、野球靴の靴底及び野球靴によれば、野球競技の動作、地面環境、個人差に応じて、靴底における位置及び向きを簡単に調整することができる。
【図面の簡単な説明】
【００２８】
【図１】本発明の第１実施形態のスパイク手段の分解斜視図。
【図２】前記実施形態のスパイク手段の部分斜視図。
【図３】前記実施形態のスパイク手段の斜視図であり、爪片が地面に対してほぼ直角に立上り状態を示す。
【図４】前記実施形態のスパイク手段の斜視図であり、爪片が地面に対して斜めに立上り状態を示す。
【図５】前記実施形態のスパイク手段の斜視図であり、爪片が地面に対して斜めに立上り且つ向きを変えた状態を示す。
【図６】本発明の第２実施形態の野球靴の靴底の縦断面図であり、スパイク手段として第１実施形態のスパイク手段が使用されて図３の状態とされた。
【図７】図６のスパイク手段が図４の状態とされた。
【図８】従来の野球靴の一例を示す部分断面図。
【符号の説明】
【００２９】
１００    野球靴
１１      野球靴の靴底
１１１    接地面
１２      凹部
１３      カバー
２        スパイク手段
２０      定位部材
２１      ベース
２１１    螺孔
２１２    第１の放射歯
２１３    貫通孔
２２      定位板
２２１    挿通孔
２２２    一連の第１の歯列
２２３    第２の放射歯
２３      位置調整部材
２３１    長穴
２３２    一連の第２の歯列
２４      螺軸
２４１    雄ねじ
２４２    頭部
２５      爪片
２５１  （爪片の）靴底側の端部
２６      圧縮ばね
２７      ねじりばね
２８      枢軸
３        アッパー
【図１】
2008029398.tif 000003
【図２】
2008029398.tif 000004
【図３】
2008029398.tif 000005
【図４】
2008029398.tif 000006
【図５】
2008029398.tif 000007
【図６】
2008029398.tif 000008
【図７】
2008029398.tif 000009
【図８】
2008029398.tif 000010